(57)【要約】      （修正有）【課題】ワイピングクロスの生産・出荷からリサイクル使用までを一環して管理することのできるシステムを提供すること。【解決手段】汚染物質が付着したワイピングクロスをクリーニングして再使用するに際し、以下の（ａ）〜（ｄ）の装置と手段により管理するワイピングクロスの生産・リサイクル使用管理システム。（ａ）付着汚染物質の種類に対応して定めたクリーニング法情報と、顧客情報及び使用条件情報の情報登録装置。（ｂ）新品のワイピングクロスに、顧客情報及びクリーニング法情報の付設手段。（ｃ）該ワイピングクロスに付設したクリーニング法情報の読取り手段、及び、該読取ったクリーニング法情報に従った該ワイピングクロスのクリーニング手段。（ｄ）クリーニングした該ワイピングクロスに関する追加情報を前記情報登録装置に登録する手段、及び、該追加情報を登録したワイピングクロスを前記顧客に出荷してリサイクル使用する手段。【選択図】なし【特許請求の範囲】
【請求項１】
汚染面を清拭したことによって汚染物質が付着したワイピングクロスをクリーニングして再使用に供するに際して、以下の（ａ）〜（ｄ）の装置と手段を用いて管理することを特徴とするワイピングクロスの生産・リサイクル使用管理システム。
（ａ）予め、少なくとも、付着する汚染物質の種類に対応して定められたクリーニング法情報と、顧客情報および使用条件情報とが登録されている情報登録装置であり、新品ワイピングクロスの出荷元に設けられている情報登録装置。
（ｂ）新品のワイピングクロスに、少なくとも顧客情報およびクリーニング法情報を、バーコード若しくは２次元コードラベルまたはＩＣタグを利用して付設せしめる手段であり、新品のワイピングクロスの出荷元に設けられているバーコード若しくは２次元コードラベルまたはＩＣタグの付設手段。
（ｃ）ワイピングクロスのクリーニング工場に設けられている手段であって、顧客から汚染物質が付着したワイピングクロスを受け取り、該ワイピングクロスに付設されているバーコード若しくは２次元コードラベルまたはＩＣタグからクリーニング法情報を読みとる読み取り手段、および、該読み取ったクリーニング法の情報に従って該ワイピングクロスをクリーニングするクリーニング手段。
（ｄ）ワイピングクロスのクリーニング工場に設けられている手段であって、クリーニング手段によりクリーニングをされた該ワイピングクロスに関する追加情報を前記(a) の情報登録装置に登録する手段、および、該追加情報が登録されたワイピングクロスを前記顧客に出荷してリサイクル使用に供せしめる手段。
【請求項２】
新品ワイピングクロスの出荷元と、ワイピングクロスのクリーニング工場とが、共通の事業者によるものであることを特徴とする請求項１記載のワイピングクロスの生産・リサイクル使用管理システム。
【請求項３】
ワイピングクロスの汚染物質が、赤、緑または青の各発光色を有する各蛍光体ペーストが付着されてなるものであることを特徴とする請求項１記載のワイピングクロスの生産・リサイクル使用管理システム。
【発明の詳細な説明】
【技術分野】
【０００１】
本発明は、ワイピングクロスの生産・リサイクル使用管理システムに関する。
【背景技術】
【０００２】
従来、極細の合成繊維などからなるテープ状のワイピングクロスを用いて、被ワイピング物品の汚染面を清拭することが各種の工業分野・産業分野で行われている（例えば、特許文献１−３参照）。
【０００３】
これらのワイピングクロスは、本来、極細の合成繊維等からなるものであるため、クリーニングを行い、再度の使用をしようと思えばできたものであったが、汚染物によっては完全に該汚染物を除去するだけのクリーニングをすることが難しく、結局、システムとして確立されたリサイクル使用方法は、特に、特定の産業分野においては、確立されておらず実現されていないものであった。
【０００４】
従来において、ワイピングクロスの洗浄リサイクルが皆無というわけではなかったが、その管理精度は低く、シビアな条件下で行われることが要求される特定分野でのワイピングには対応できなかったものである。
【０００５】
例えば、エレクトロニクス産業に代表される微細で精密さが要求される産業分野では、拭き取られた付着物は、目視で確認することが不可能なケースも多い。そして、もし、仮りに、異なる現場で使用され付着物が異なるリサイクル済みワイピングクロスが混在した場合、製造ライン（ワイピングのラインから、ひいては該製品の製造ライン）での汚染が発生し、正常のワイピングを受けた製品の生産が実施できなくなる可能性がある。
【０００６】
そのために、付着物をはじめとするさまざまな情報をデータ化して管理する手段が必要となってくる。また、ワイピングクロスは、顧客別、使用条件別に分別して回収する必要があるため、顧客情報や使用製造ラインの名称に関する情報は、目視でも確認できる表示が必要となるものである。
【特許文献１】特開平１１−２７６３９９号公報
【特許文献２】特開平１１−２７６３９８号公報
【特許文献３】特開平１０−１０６２２９号公報
【発明の開示】
【発明が解決しようとする課題】
【０００７】
本発明の目的は、上述したような点に鑑み、ワイピングクロスの生産・出荷からリサイクル使用までを一環して管理することのできるシステムを提供せんとするものである。
【課題を解決するための手段】
【０００８】
上述した目的を達成する本発明のワイピングクロスの生産・リサイクル使用管理システムは、以下の(1) 記載の構成からなる。
（１）汚染面を清拭したことによって汚染物質が付着したワイピングクロスをクリーニングして再使用に供するに際して、以下の（ａ）〜（ｄ）の装置と手段を用いて管理することを特徴とするワイピングクロスの生産・リサイクル使用管理システム。
（ａ）予め、少なくとも、付着する汚染物質の種類に対応して定められたクリーニング法情報と、顧客情報および使用条件情報とが登録されている情報登録装置であり、新品ワイピングクロスの出荷元に設けられている情報登録装置。
（ｂ）新品のワイピングクロスに、少なくとも顧客情報およびクリーニング法情報を、バーコード若しくは２次元コードラベルまたはＩＣタグを利用して付設せしめる手段であり、新品のワイピングクロスの出荷元に設けられているバーコード若しくは２次元コードラベルまたはＩＣタグの付設手段。
（ｃ）ワイピングクロスのクリーニング工場に設けられている手段であって、顧客から汚染物質が付着したワイピングクロスを受け取り、該ワイピングクロスに付設されているバーコード若しくは２次元コードラベルまたはＩＣタグからクリーニング法情報を読みとる読み取り手段、および、該読み取ったクリーニング法の情報に従って該ワイピングクロスをクリーニングするクリーニング手段。
（ｄ）ワイピングクロスのクリーニング工場に設けられている手段であって、クリーニング手段によりクリーニングをされた該ワイピングクロスに関する追加情報を前記(a) の情報登録装置に登録する手段、および、該追加情報が登録されたワイピングクロスを前記顧客に出荷してリサイクル使用に供せしめる手段。
【０００９】
また、かかる本発明のワイピングクロスの生産・リサイクル使用管理システムにおいて、具体的により好ましくは、以下の(2) または(3) 記載の構成からなるものである。
（２）新品ワイピングクロスの出荷元と、ワイピングクロスのクリーニング工場とが、共通の事業者によるものであることを特徴とする上記(1) 記載のワイピングクロスの生産・リサイクル使用管理システム。
（３）ワイピングクロスの汚染物質が、赤、緑または青の各発光色を有する各蛍光体ペーストが付着されてなるものであることを特徴とする上記(1) 記載のワイピングクロスの生産・リサイクル使用管理システム。
【発明の効果】
【００１０】
請求項１にかかる本発明によれば、ワイピングクロスの生産・出荷からリサイクル使用までを一環して管理することのできるシステムが提供されるものである。
【発明を実施するための最良の形態】
【００１１】
以下、更に詳しく本発明について、説明する。
本発明のワイピングクロスの生産・リサイクル使用管理システムは、ワイピングクロスをクリーニングして再使用に供するに際して、以下の（ａ）〜（ｄ）の装置と手段を用いて管理するものである。
【００１２】
すなわち、まず、（ａ）として、新品ワイピングクロスの出荷元に設けられている情報登録装置であり、該情報登録装置は、予め、少なくとも、付着する汚染物質の種類に対応して定められたクリーニング法情報と、顧客情報および使用条件情報とが登録されているものである。
【００１３】
ここで、「クリーニング法情報」とは、例えば（イ）付着物の種類、（ロ）付着物の量、（ハ）洗浄条件（温度、洗剤、溶剤、洗浄時間等）、（ニ）洗浄後の付着物残留量の許容範囲、（ホ）洗浄後のワイピングクロスの寸法変化許容度、（へ）最大許容洗濯回数、等である。
【００１４】
また、「顧客情報」とは、例えば（イ）顧客名、（ロ）顧客工場名、（ハ）住所、（ニ）連絡先（電話番号）、等がある。
【００１５】
また、「使用条件情報」とは、例えば、該ワイピングクロスを使用している装置名や製造ライン名、等がある。
【００１６】
これらの情報は、新品ワイピングクロスの出荷元が、個々のワイピングクロスの出荷先（顧客）が定まれば、該出荷先（顧客）における被ワイピング対象物、ワイピング処理工程の条件、該ワイピングクロスの洗浄に使用されることになる洗浄剤・洗浄条件等などを、勘案して、適宜、出荷先（顧客）との調整の上で、コンピュータなどの情報登録装置に登録（記録）するものである。
【００１７】
次に、手段（ｂ）として、新品ワイピングクロスの出荷元に設けられているバーコード若しくは２次元コードラベルまたはＩＣタグの付設手段であり、新品のワイピングクロスに、少なくとも顧客情報およびクリーニング法情報を、バーコード若しくは２次元コードラベルまたはＩＣタグを利用して付設せしめる手段である。
【００１８】
この手段（ｂ）により、新品ワイピングクロスとして出荷される個々のワイピンクロスに対して、少なくとも顧客情報とクリーニング法情報とが付設されることとなり、新品として出荷された後、該ワイピングクロスがどのような使われ方の経過をしたとしても、当初の出荷先や当初のクリーニング法情報が付設されていくことになる。
【００１９】
バーコード若しくは２次元コードラベルまたはＩＣタグは、それらの情報を正確に記録できるものであればよく、その形態はいずれでもよく、２次元コードは、バーコードを積み重ねた方式（スタックドバーコード方式）や、あるいはマトリックス方式と呼ばれるものなどのいずれでもよい。
【００２０】
次に、手段（ｃ）として、ワイピングクロスのクリーニング工場に設けられている手段であって、顧客から汚染物質が付着したワイピングクロスを受け取り、該ワイピングクロスに付設されているバーコード若しくは２次元コードラベルまたはＩＣタグからクリーニング法情報を読みとる読み取り手段、および、該読み取ったクリーニング法の情報に従って該ワイピングクロスをクリーニングするクリーニング手段である。
【００２１】
このクリーニング手段（ｃ）は、通常は予め定められている（予め提携している）クリーニング工場が有する手段であって、顧客から汚染物質が付着したワイピングクロスを受け取って、該ワイピングクロスに付設されているバーコード若しくは２次元コードラベルまたはＩＣタグからクリーニングに必要な条件・情報を読み取り、該読みとられた条件・情報に対応して制御したクリーニングを、該ワイピングクロスに対して実施することができるクリーニング手段である。
【００２２】
クリーニングを実施するクリーニング機械・装置だけで言えば、従来からある類似のワイピングクロス用機械・装置と実質的に変わるところはないのであるが、その運転条件を制御する手法が特異なものである。
【００２３】
次に、手段（ｄ）として、ワイピングクロスのクリーニング工場に設けられている手段であって、上述のクリーニング手段（ｃ）によりクリーニングをされた該ワイピングクロスに関する追加情報を、個々のワイピングクロスに追加付設する手段、および、該追加情報を追加付設された後のワイピングクロスを前記顧客に出荷してリサイクル使用に供せしめる手段である。
【００２４】
ここで、「クリーニング手段によりクリーニングをされた該ワイピングクロスに関する追加情報」とは、例えば、「リサイクル回数」、「使用してからの経過時間」、「クロスの摩耗状態」、「洗濯（クリーニング）累積回数」、等がある。該情報が追加して記録されることにより、リサイクル使用に供するもの、あるいは供しないものなどを、次の機会に正しく判断することが可能となるものである。
【００２５】
また、該ワイピングクロスに関する追加情報を、前記(a) の情報登録装置に登録する手段とは、例えば、前記(a) の情報登録装置にアクセス可能に設置されているコンピュータなどがある。また、ワイピングクロスを前記顧客に出荷してリサイクル使用に供せしめる手段とは、少なくとも、該ワイピングクロスを再梱包等して、顧客に出荷できる状態にまで整える手段までをいうものである。
【００２６】
上述した本発明のワイピングクロスの生産・リサイクル使用管理システムによれば、ワイピングクロスの生産時点から、リサイクル使用を想定した精密な情報管理を行うことができ、洗浄管理が非常に厳密なことが要請される特定の産業分野においても、有効にリサイクル使用を行うことができるようになるものである。
【００２７】
特に、新品ワイピングクロスの出荷元と、ワイピングクロスのクリーニング工場とが、実質的に共通の事業者によるものであるが、新品のクロスとワイピングクロスの供給バランスをリアルタイムに調整することなども簡易に可能であることから、より本発明のワイピングクロスの生産・リサイクル使用管理システムを効果的に実施することができるので好ましい。
【００２８】
本発明のワイピングクロスの生産・リサイクル使用管理システムは、洗浄管理が非常に厳密な特定の産業分野において特に効果的なものであり、例えば、電子機器製造業、エレクトロニクス産業などて効果的に採用され得るものである。
【００２９】
例えば、液晶ディスプレイ用カラーフィルターなどの製造においては、赤（Ｒ）、緑（Ｇ）または青（Ｂ）等の各発光色を有する各蛍光体ペーストが付着した被ワイピング物を清拭することが要請されるケースがあるが、同一の工場内でも、そのワイピングクロスが、赤（Ｒ）の蛍光体ペースト、緑（Ｇ）の蛍光体ペーストまたは青（Ｂ）の蛍光体ペーストのいずれかに使用されるものであるかは、厳密に区別されて管理されるべきものであって、赤なら赤用、青なら青用として、生産からリサイクル使用まで、一環して管理されるべきものであり、本発明によれば、そのような管理が可能となり、肉眼などでは、使用済みのワイピングクロスを見ても何色用のものなのか、直接に確認できないようなものを管理するのに最適なものである。
【００３０】
なお、但し、本発明においては、ワイピングロスに、例えば「赤用ワイピングクロス」などと、目視で作業者が確認できる情報が更に併設されていても構わない。一次的な管理が簡易にできるからである。
【００３１】
本発明において、洗浄後の付着物残留量の許容範囲、洗浄後のワイピングクロスの寸法変化許容度、該ワイピングクロスの最大許容洗濯回数、 該ワイピングクロスの最大許容摩耗量などの個別的な詳細な管理情報の具体例は、実際の該ワイピングクロスの具体的ワイピング用途・条件、ワイピングクロスの性状などに合わせて、適宜に定められればよいものであり、特に限定されるものではない。